(57)【特許請求の範囲】
【請求項１】
刈刃軸が挿通されて刈刃を上下から挟圧する上下挟圧体の下挟圧体の下面に当てがわれ、刈刃軸に下方から螺入して上下挟圧体を挟圧して刈刃を保持するボルトを埋入するポケットの周囲に下方突出部を環状に形成した刈払機のアンダーカップにおいて、アンダーカップの内部に収容されてアンダーカップの外周を被覆する補助ディスクを設けたことを特徴とする刈払機のアンダーカップ。
【請求項２】
アンダーカップの外周端に横に延びるフランジを形成し、補助ディスクの外周でこのフランジを包み込んで被覆した請求項１の刈払機のアンダーカップ。
【請求項３】
補助ディスクによるアンダーカップの外周の被覆部分が刈刃の下面に弾性接触される請求項１又は２の刈払機のアンダーカップ。
【請求項４】
刈刃軸が上下挟圧体を貫通しており、その突出部にボルトに代えてナットを螺合して上下挟圧体を挟圧する請求項１〜３いずれかの刈払機のアンダーカップ。
【発明の詳細な説明】
【０００１】
【発明が属する技術分野】
本発明は、刈刃の下面中央に取り付けられ、地面に接当して刈刃を地面から浮かせる刈払機のアンダーカップに関するものである。
【０００２】
【従来の技術】
刈払機においては、刈刃を上下挟圧体で挟圧して保持しているが、この上下挟圧体を挟圧するために下方から差し通されるボルトが直接地面に接当するのを避けるため、ボルトの周囲にボルトが隠れる（ボルトを地面から離す）下方突出部を形成したアンダーカップを用いている。又、このアンダーカップは、刈刃を地面から浮かせて刈刃が直接地面に食い込むのを避ける作用も果たしている。従って、作業中は、この下方突出部は地面に接することがあるから、摩耗の問題が起きる。この下方突出部が摩耗すると、破断してしまい、破断片である外周部が周囲に飛散したりする。
【０００３】
【発明が解決しようとする課題】
このため、下方突出部の下面に凹溝等を形成し、この凹溝の擦り減り具合を見て破断の時期を判断したりしていたが、観察作業が億劫であることから、ついつい見逃していた。又、下方突出部の肉厚を厚くする等して破断の時期を遅らせたりもしていたが、重量が重くなって操作がし難いとともに、このようにしたとしても、何時かは破断する。
【０００４】
又、アンダーカップの外周端と刈刃との間に隙間ができていたりしていたが、このような構成によると、この隙間からゴミ等が侵入したり、アンダーカップの保持が十分でないといったこともあった。本発明は、このような課題を解決したものであり、仮に、破断したとしても、その破断片が周囲に飛散するのを防止するようにしたものである。
【０００５】
【課題を解決するための手段】
以上の課題の下、本発明は、請求項１に記載した、刈刃軸が挿通されて刈刃を上下から挟圧する上下挟圧体の下挟圧体の下面に当てがわれ、刈刃軸に下方から螺入して上下挟圧体を挟圧して刈刃を保持するボルトを埋入するポケットの周囲に下方突出部を環状に形成した刈払機のアンダーカップにおいて、アンダーカップの内部に収容されてアンダーカップの外周を被覆する補助ディスクを設けたことを特徴とする刈払機のアンダーカップを提供したものである。
【０００６】
以上の手段によれば、アンダーカップの外周は補助ディスクによって被覆されているので、仮に、アンダーカップの下方突出部等が地面に擦れ、或いは硬いものに当たって破断したとしても、破断片である外周部が飛散するのを抑える。尚、このような事態が生ずると、アンダーカップを新しいものに取り替えることになる。
【０００７】
又、本発明は、以上のアンダーカップにおいて、請求項２に記載した、アンダーカップの外周端に横に延びるフランジを形成し、補助ディスクの外周でこのフランジを包み込ませて被覆した手段を提供する。この手段によれば、被覆がより確実なものになるし、この場合において、請求項３に記載した、補助ディスクによるアンダーカップの外周の被覆部分が刈刃の下面に弾性接触されるとすれば、刈刃やアンダーカップの保持がより完全なものになる。
【０００８】
この他、本発明は、請求項４に記載した、刈刃軸が上下挟圧体を貫通しており、その突出部にボルトに代えてナットを螺合して上下挟圧体を挟圧する刈払機のアンダーカップを提供する。アンダーカップの取付け形態には、このような形態のものもあるが、本発明は、このような取付け形態をとるアンダーカップにも適用できる。
【０００９】
【発明の実施の形態】
以下、本発明の実施の形態を図面を参照して説明する。図１は本発明に係る刈払機の刈刃駆動部の断面図であるが、刈払機の駆動部は、後端に設けられる原動機（図示省略）から前延される基筒１の先端に刈刃２を装着する駆動ケース３を連設し、駆動ケース３の中に原動機で駆動される駆動軸４を通して駆動ケース３内に収容される伝動機構に動力が伝達される。
【００１０】
この場合の駆動ケース３は、基筒１に連設される傾斜部３ａと、刈刃２を装着する縦部３ｂとで形成されており、傾斜部３ａと縦部３ｂとに亘って傾斜部３ａ内に挿通する駆動軸４の動力を縦部３ｂ内に縦設される刈刃軸５に伝動する一対のベベルギア６が収容されている。そして、刈刃軸５には、上挟圧体７と下挟圧体８とが固嵌されており、この上下挟圧体７、８の間で刈刃２を挟圧している。従って、刈刃２は、上下挟圧体７、８の摩擦力で回転させられ、過負荷に対してはスリップできるものとなる。尚、本例では、刈刃２の上面に縦部３ｂの外径よりもやや大きな押えカップ９が当てがわれ、この押えカップ９も刈刃２と一緒に上下挟圧体７、８で挟圧されている。
【００１１】
下挟圧体８の下面にはアンダーカップ１０が当てがわれ、このアンダーカップ１０の下方からボルト１１を刈刃軸５に穿設されたネジ孔５ａに螺合して刈刃２やアンダーカップ１０を挟圧保持している。この場合のアンダーカップ１０の外径は、上記した押えカップ９の外径と同じかやや大きくして刈刃２の保持を確実なものとしている。これにより、刈刃軸５に伝えられた動力は、刈刃２やアンダーカップ１０を回転させることになる。
【００１２】
本例のアンダーカップ１０は、中央にボルト１１を埋入する上方に凹陥したポケット１０ａが形成され、ポケット１０ａの周囲にはボルト１１の下方丈よりも丈の高い（ボルト１１の頭部を接地させないため）下方突出部１０ｂが環状に突設され、更に、下方突出部１０ｂの外周側は、ポケット１０ａの面よりも高く上延するカップ形をしているものである。加えて、本例のアンダーカップ１０は、その外周端に横に延びるフランジ１０ｃが形成されている。
【００１３】
本発明は、アンダーカップ１０の内部に、アンダーカップ１０の外周を被覆する補助ディスク１２を収容したものである。本例の補助ディスク１２は、下挟圧体８とアンダーカップ１０との間に挿設されるものであり（ボルト１１の締付けによってアンダーカップ１０等と共回りする）、周辺部が水平に延びてアンダーカップ１０に沿って上方に屈曲し、その先端側がカールしてこのカール部１２ａでアンダーカップ１０外周端のフランジ１０ｃの上面、外側面及び下面を包み込むように被覆している。尚、このカール部１２ａの成形は、プレスやロールによる成形が考えられ、成形後は、補助ディスク１２とアンダーカップ１０とは一体のものとなる。
【００１４】
更に、本例では、補助ディスク１２によるアンダーカップ１０の被覆部分を刈刃２の下面に接触させているとともに、この接触を弾性接触にしている。刈刃２とアンダーカップ１０との間に隙間を設けないようにするとともに、この弾性力によって刈刃２及びアンダーカップ１０の保持をより強固にするためである。
【００１５】
ところで、刈り作業をするときには、刈刃２を地面から浮かせるように操作するが、仮に、接地したとしても、この下方突出部１０ｂが接地して刈刃２は地面等に食い込まないようになっている。従って、下方突出部１０ｂは往々にして接地して摩耗する。この摩耗によってこの部分が破断し、破断片が飛散したりするのは上述したとおりであるが、本発明によれば、補助ディスク１２によるアンダーカップ１０の外周の保持により、破断片が飛散するのが防止できる。この場合、アンダーカップ１０の下方突出部１０ｂの接地面積ａを増すことで摩耗を減らせるし、材質をステンレスにすれば、摩耗し難い上に摩耗面に腐食が生じないから、腐食による侵食が防止できる。
【００１６】
図２は本発明の他の例を示す刈払機の刈刃駆動部の一部断面図であるが、本例のものは、刈刃軸５が上下挟圧体７、８を貫通しており、その突出部にネジ部５ｂを形成して、このネジ部５ｂにボルトに代えてナット１３を螺合して上下挟圧体７、８を挟圧したものである。但し、刈刃軸５と上下挟圧体７、８とは遊嵌させており、上下挟圧体７、８の摩擦力で刈刃２を駆動するものである（過負荷に対しは上下挟圧体７、８もスリップできる）。更に、アンダーカップ１０の外周端にはフランジを形成しておらず、又、補助ディスク１２によるアンダーカップ１０の被覆部分を刈刃２に接触させていない。本発明は、このようなものにも適用できるのはいうまでもない。
【００１７】
【発明の効果】
以上、本発明は、上記したものであるから、即ち、アンダーカップの外周は補助ディスクによって被覆されているので、仮に、アンダーカップの下方突出部等が地面に擦れ、或いは硬いものに当たって破断したとしても、破断片である外周部が飛散するのを抑える。
【図面の簡単な説明】
【図１】本発明の一例を示す刈払機の刈刃駆動部の断面図である。
【図２】本発明の他の一例を示す刈払機の刈刃駆動部の断面図である。
【符号の説明】
２    刈刃
５    刈刃軸
５ａ  突出部
７    上挟圧体
８    下挟圧体
１０  アンダーカップ
１０ａ  ポケット
１０ｂ  下方突出部
１０ｃ  フランジ
１１  ボルト
１２  補助ディスク
１３  ナット
【図１】
0003856209.tif 000002
【図２】
0003856209.tif 000003